(57)【要約】【課題】ねじ部にワッシャーが通された雄ねじを所定の対象に締める際に、該ねじ部の中心軸に対するワッシャーのずれを抑制する。【解決手段】雄ねじを締める際に使用可能なドライバーであって、把持部と、基端側が該把持部に固定された軸部と、該軸部に沿った挿通孔を中央に有し、該挿通孔に該軸部が挿通された円筒状のホルダーと、該ホルダーと、該把持部と、を接続する接続部材と、を有し、該ホルダーの先端には、該挿通孔の中心軸上に中心を有する円形の開口を該先端側に有する凹部が形成され、該雄ねじを締める際、該雄ねじの頭部のくぼみに該軸部の先端を差し入れると同時に、該凹部の内部に該雄ねじのねじ部に挿通されたワッシャーを収容できる。【選択図】図３
2020028945.tif 000002
【特許請求の範囲】
【請求項１】
雄ねじを締める際に使用可能なドライバーであって、
把持部と、
基端側が該把持部に固定された軸部と、
該軸部に沿った挿通孔を中央に有し、該挿通孔に該軸部が挿通された円筒状のホルダーと、
該ホルダーと、該把持部と、を接続する接続部材と、を有し、
該ホルダーの先端には、該挿通孔の中心軸上に中心を有する円形の開口を該先端側に有する凹部が形成され、
該雄ねじを締める際、該雄ねじの頭部のくぼみに該軸部の先端を差し入れると同時に、該凹部の内部に該雄ねじのねじ部に挿通されたワッシャーを収容できることを特徴とするドライバー。
【請求項２】
雄ねじを締める際に使用可能なドライバーであって、
把持部と、
基端側が該把持部に固定された軸部と、
該軸部に沿った挿通孔を中央に有し、該挿通孔に該軸部が挿通された円筒状のホルダーと、
該ホルダーと、該把持部と、を接続する接続部材と、を有し、
該ホルダーの先端には、該挿通孔の中心軸上に中心を有する円形の第１の開口を該先端側に有する第１の凹部と、該挿通孔の該中心軸上に中心を有し該第１の開口よりも径の小さい円形の第２の開口を該第１の凹部の底面に有する第２の凹部と、を備え、
該雄ねじを締める際、該雄ねじの頭部のくぼみに該軸部の先端を差し入れると同時に、該第１の凹部の内部に該雄ねじのねじ部に挿通されたワッシャーを収容でき、さらに、該第２の凹部の内部に該雄ねじの該頭部を収容できることを特徴とするドライバー。
【請求項３】
前記接続部材は、前記把持部と、前記ホルダーと、の間に露出する前記軸部を囲むコイル状の弾性部材であり、
該ホルダーは、該軸部に沿って前後方向に移動可能であることを特徴とする請求項１又は請求項２に記載のドライバー。
【発明の詳細な説明】
【技術分野】
【０００１】
本発明は、ワッシャーがねじ部に通された六角穴付きボルトやねじ等の雄ねじを所定の対象に締める際に使用可能なドライバーに関する。
【背景技術】
【０００２】
機械の内部で部材を所定の対象に固定する際に、六角穴付きボルトやねじ（以下、雄ねじという）が使用される。例えば、該部材に形成された挿通孔に雄ねじのねじ部を通し、所定の対象が備えるねじ穴に該ねじ部を締め込むことにより該部材を該所定の対象に固定できる。雄ねじの頭部の該ねじ部とは反対側には、プラスやマイナス、正六角形等の規格化された形状のくぼみが形成されている。
【０００３】
該くぼみの形状に対応する形状の先端を有する軸部を備えるドライバーの該先端を雄ねじの該くぼみに挿し入れ、雄ねじのねじ部をねじ穴に合わせ、ドライバーを軸部の周りに回転させると、雄ねじがねじ穴に締め込まれて該部材が該所定の対象に固定される。雄ねじを締めるこの一連の作業を効率よく実施できるドライバーとして、例えば、六角穴付きボルトの脱落を防止するホルダーが軸部に取り付けられたドライバーが知られている（特許文献１参照）。
【先行技術文献】
【特許文献】
【０００４】
【特許文献１】実用新案登録第３１０７２９２号公報
【発明の概要】
【発明が解決しようとする課題】
【０００５】
雄ねじを所定の対象に締める際、予めねじ部に円環状のワッシャーが通される場合がある。この場合、雄ねじを所定の対象に締める際、ワッシャーは雄ねじの頭部と、該所定の対象と、の間に挟まれ固定される。このとき、ワッシャーの貫通孔（通し穴とも呼ばれる）の中心が、ねじ部の中心軸と一致している状態となることが好ましい。
【０００６】
しかしながら、ワッシャーが備える貫通孔は雄ねじのねじ部の径と比較して大きいため、ねじ部と、ワッシャーの内周と、の間に隙間が生じる。そのため、ワッシャーは、該ねじ部に垂直な方向に所定の範囲で移動可能であり、雄ねじが所定の対象に締められる際にワッシャーの貫通孔の中心がねじ部の中心軸と一致している状態となるとは限らない。
【０００７】
雄ねじが所定の対象に締められる際にワッシャーがねじ部の中心軸から大きくずれていると、ワッシャーが期待された機能を発揮できないだけでなく、ワッシャーに偏った力が印加されてワッシャーに変形や破損が生じる場合がある。そこで、雄ねじを締める際に、作業者がワッシャーを押さえながらドライバーを回転させることが考えられる。
【０００８】
しかしながら、作業者がワッシャーを押さえながらドライバーを回転させるのには両手を使用しなければならず作業性が悪化する。また、例えば、機械の内部の狭い空間内で作業を実施する場合等、作業者がワッシャーを押さえながらドライバーを回転させるのが容易ではない場合がある。さらに、広い作業領域が確保されている場合においても、雄ねじの締め込みが完了する間際に頭部の回転に引きずられてワッシャーが移動して、ワッシャーが所定の位置からずれてしまう場合がある。
【０００９】
雄ねじの頭部を保持するホルダーを備える上述のドライバーを使用して該ホルダーと、該所定の対象と、でワッシャーを挟むことが考えられるが、この場合においても予め何らかの方法でワッシャーを望ましい位置に位置付けておかなければならない。
【００１０】
本発明はかかる問題に鑑みてなされたものであり、その目的とするところは、ねじ部にワッシャーが通された雄ねじを所定の対象に締める際に、該ねじ部の中心軸に対するワッシャーのずれを抑制できるドライバーを提供することである。
【課題を解決するための手段】
【００１１】
本発明の一態様によれば、雄ねじを締める際に使用可能なドライバーであって、把持部と、基端側が該把持部に固定された軸部と、該軸部に沿った挿通孔を中央に有し、該挿通孔に該軸部が挿通された円筒状のホルダーと、該ホルダーと、該把持部と、を接続する接続部材と、を有し、該ホルダーの先端には、該挿通孔の中心軸上に中心を有する円形の開口を該先端側に有する凹部が形成され、該雄ねじを締める際、該雄ねじの頭部のくぼみに該軸部の先端を差し入れると同時に、該凹部の内部に該雄ねじのねじ部に挿通されたワッシャーを収容できることを特徴とするドライバーが提供される。
【００１２】
また、本発明の他の一態様によれば、雄ねじを締める際に使用可能なドライバーであって、把持部と、基端側が該把持部に固定された軸部と、該軸部に沿った挿通孔を中央に有し、該挿通孔に該軸部が挿通された円筒状のホルダーと、該ホルダーと、該把持部と、を接続する接続部材と、を有し、該ホルダーの先端には、該挿通孔の中心軸上に中心を有する円形の第１の開口を該先端側に有する第１の凹部と、該挿通孔の該中心軸上に中心を有し該第１の開口よりも径の小さい円形の第２の開口を該第１の凹部の底面に有する第２の凹部と、を備え、該雄ねじを締める際、該雄ねじの頭部のくぼみに該軸部の先端を差し入れると同時に、該第１の凹部の内部に該雄ねじのねじ部に挿通されたワッシャーを収容でき、さらに、該第２の凹部の内部に該雄ねじの該頭部を収容できることを特徴とするドライバーが提供される。
【００１３】
好ましくは、前記接続部材は、前記把持部と、前記ホルダーと、の間に露出する前記軸部を囲むコイル状の弾性部材であり、該ホルダーは、該軸部に沿って前後方向に移動可能である。
【発明の効果】
【００１４】
本発明の一態様に係るドライバーは、軸部に通された円筒状のホルダーを備える。ホルダーの先端には、雄ねじのねじ部に挿通されたワッシャーを収容できる凹部が形成されている。該ドライバーを使用して雄ねじを所定の対象に締める際には、まず、ドライバーの軸部の先端を雄ねじの頭部のくぼみに挿し入れるとともに、該ワッシャーを凹部に収容する。
【００１５】
次に、雄ねじのねじ部を該所定の対象のねじ穴に合わせ、把持部を持ってドライバーを回転させて該ねじ部を該ねじ穴に締める。このとき、ホルダーの挿通孔の中心軸上に中心が位置する円形の開口を有する凹部にワッシャーが収容されており、該挿通孔に挿通された該軸部の先端で該雄ねじが締められる。したがって、ワッシャーが雄ねじからずれず、ワッシャーの貫通孔の中心と、雄ねじのねじ部の中心軸と、が合った状態で該雄ねじが該所定の対象に締められる。
【００１６】
したがって、本発明の一態様により、ねじ部にワッシャーが通された雄ねじを所定の対象に締める際に、該ねじ部の中心軸に対するワッシャーのずれを抑制できるドライバーが提供される。
【図面の簡単な説明】
【００１７】
【図１】軸部にワッシャーが入れられた六角穴付きボルトを模式的に示す斜視図である。
【図２】図２（Ａ）は、ホルダーを備えるドライバーを模式的に示す側面図であり、図２（Ｂ）は、ドライバーのホルダーを模式的に示す正面図である。
【図３】ホルダーを備えるドライバーにより六角穴付きボルトを所定の対象に締める様子を模式的に示す部分断面側面図である。
【発明を実施するための形態】
【００１８】
本発明の一態様に係る実施形態について説明する。本実施形態は、雄ねじを所定の対象に締める際に使用可能なドライバーである。まず、本実施形態に係るドライバーにより所定の対象に締められる雄ねじについて説明する。該雄ねじは、例えば、六角穴付きボルトやねじである。
【００１９】
該雄ねじは、ドライバーの軸部の先端が挿し入れられるくぼみを有する頭部を備える。該頭部のくぼみは、プラスやマイナス、正六角形等の規格化された形状である。該雄ねじを締める際には、先端が該くぼみの形状に対応する軸部を有するドライバーが使用される。以下、該雄ねじが六角穴付きボルトであり、該雄ねじを締めるドライバーが軸部の先端の形状が該六角穴の形状に対応した六角形である場合を例に本実施形態を説明する。
【００２０】
図１は、六角穴付きボルト１を模式的に示す斜視図である。六角穴付きボルト１の頭部３には六角穴７が形成されており、該六角穴付きボルト１が所定の対象に締められる際に該六角穴７にドライバーの先端が挿し入れられる。六角穴付きボルト１は、頭部３の六角穴７とは反対側に円筒状のねじ部５を備える。該ねじ部５の外周部にはねじ山９が形成されており、六角穴付きボルト１が所定の対象のねじ穴に締められる際、ねじ部５が該ねじ穴に螺合する。
【００２１】
六角穴付きボルト１が所定の対象に締められる際、予めねじ部５にワッシャー１１が通される。ワッシャー１１は、中央に通し穴と呼ばれる貫通孔を有する円環状の部材である。六角穴付きボルト１に使用されるワッシャー１１の該貫通孔の径はねじ部５の径に対応して規格化されており、六角穴付きボルト１のねじ部５の径よりも大きい。ワッシャー１１は、平らな円盤状のものや、内周から外周にかけて切断され切り口がねじられたスプリングワッシャーと呼ばれるタイプのものが存在する。
【００２２】
ワッシャー１１は、六角穴付きボルト１と、該所定の対象と、の間のなじみを良くする機能や、六角穴付きボルト１の緩みを防止する機能を有する。また、例えば、該所定の対象が備えるねじ穴の形状が該ねじ部５の径に対応する幅を有する楕円形であり、六角穴付きボルト１の固定箇所を該ねじ穴の内側で任意に決定できる場合に、該ねじ穴に締め込まれた六角穴付きボルト１のずれをワッシャー１１が防止する。
【００２３】
ワッシャー１１は、六角穴付きボルト１を所定の対象に締める際、頭部３と、該所定の対象と、の間に挟まれ固定される。このとき、ワッシャー１１の貫通孔の中心が、ねじ部５の中心軸と一致している状態となることが好ましい。しかしながら、ワッシャー１１が備える貫通孔はねじ部５の径と比較して大きいため、ねじ部５と、ワッシャー１１の内周と、の間に隙間が生じる。そのため、ワッシャー１１は、ねじ部５に垂直な方向に対して所定の範囲で移動可能である。
【００２４】
六角穴付きボルト１が所定の対象に締められる際にワッシャー１１がねじ部５の中心軸から大きくずれていると、ワッシャー１１が期待された機能を発揮できないだけでなく、ワッシャー１１に偏った力が印加されてワッシャー１１に変形や破損が生じる場合がある。そこで、本実施形態に係るドライバーを使用して六角穴付きボルト１を所定の対象に締める。
【００２５】
次に、図２（Ａ）を用いて本実施形態に係るドライバー２を説明する。ドライバー２は、作業者の持ち手となる把持部４と、基端側が把持部４に固定された軸部６と、を備える。把持部４の外周部には、作業者の手の滑りを防止するため角部や凹凸形状が形成されている。該軸部６は、例えば、六角穴付きボルト１の六角穴７の形状に合った断面の六角柱状に形成されており、先端が該六角穴７に挿し入れられる。
【００２６】
ドライバー２は、樹脂等の部材で形成された円筒状のホルダー８を有する。ホルダー８は、軸部６に沿った挿通孔８ａを中央に有する。該挿通孔８ａの径はドライバー２の軸部６の径よりも大きく、該挿通孔８ａにはドライバー２の軸部６が挿通される。
【００２７】
ホルダー８の後端（把持部４に近い端部）には接続部材１０の一端が固定されており、該接続部材１０の他端側は把持部４に固定されている。すなわち、接続部材１０は、把持部４と、ホルダー８と、を接続する部材である。該接続部材１０は、例えば、把持部４と、ホルダー８と、の間に露出する軸部６を囲むコイル状の弾性部材である。ホルダー８は、接続部材１０により該軸部６に沿った前後方向に移動可能に支持される。
【００２８】
図２（Ｂ）は、ドライバー２のホルダー８の先端（把持部４から遠い端部）を該先端側から見た正面図である。把持部４とは反対側のホルダー８の先端には、挿通孔８ａの中心軸８ｂ上に中心を有する円形の第１の開口１２ａを先端側に有する第１の凹部１２が形成されている。該第１の凹部１２の径はワッシャー１１の外径に対応しており、該第１の凹部１２には該ワッシャー１１を収容できる。
【００２９】
ホルダー８の先端の第１の凹部１２の底面には、挿通孔８ａの中心軸８ｂ上に中心を有する円形の第２の開口１４ａを有する第２の凹部１４が形成されている。なお、第２の開口１４ａの径は、該第１の開口１２ａの径よりも小さい。さらに、該第２の開口１４ａの径は六角穴付きボルト１の頭部３の外径に対応しており、該第２の凹部１４には六角穴付きボルト１の頭部３を収容できる。
【００３０】
次に、本実施形態に係るドライバー２を用いて六角穴付きボルト１を所定の対象１６に締める手順について説明する。図３は、ドライバー２を用いて六角穴付きボルト１を所定の対象１６のねじ穴１８に締める様子を模式的に示す部分断面側面図である。図３には、ホルダー８及び所定の対象１６の断面図と、六角穴付きボルト１、軸部６、接続部材１０、及び把持部４の側面図と、が示されている。
【００３１】
六角穴付きボルト１を締める際、六角穴付きボルト１の頭部３の六角穴７に軸部６の先端を差し入れる。このとき、六角穴付きボルト１のねじ部５に挿通されたワッシャー１１を第１の凹部１２の内部に収容させ、六角穴付きボルト１の頭部３を第２の凹部１４の内部に収容させる。この場合、ドライバー２の軸部６の先端と、第２の凹部１４と、により頭部３が保持されるとともに、第１の凹部１２によりワッシャー１１が所定の位置に位置付けられる。
【００３２】
なお、ワッシャー１１が位置付けられる該所定の位置とは、ワッシャー１１の貫通孔の中心が六角穴付きボルト１のねじ部５の中心軸に合う際のワッシャー１１の位置である。すなわち、六角穴付きボルト１と、ワッシャー１１と、の相対位置をこのまま保ちながら六角穴付きボルト１を所定の対象１６のねじ穴１８に締めると、ワッシャー１１が正しい位置に固定される。
【００３３】
ホルダー８に六角穴付きボルト１と、ワッシャー１１と、を収容した状態でねじ部５をねじ穴１８に合わせ、把持部４を持ってドライバー２を回転させ、六角穴付きボルト１を所定の対象１６に締める。
【００３４】
六角穴付きボルト１を締める過程においてホルダー８の先端が該所定の対象１６に当たるが、接続部材１０が縮むため、該所定の対象１６に該ホルダー８が押し込まれることはなく、該所定の対象１６には負荷がかからない。そして、ワッシャー１１がねじ部５からずれる方向に移動しようとする場合、該第１の凹部１２の内周壁にワッシャー１１が当たりワッシャー１１の移動が制限される。したがって、六角穴付きボルト１の締め込みが完了するまでの間、ワッシャー１１がずれることがない。
【００３５】
なお、ホルダー８への六角穴付きボルト１の頭部３及びワッシャー１１の収容を容易とするために、接続部材１０の長さ等を調節して軸部６の先端に対するホルダー８の相対位置を調整してもよい。例えば、軸部６の先端は、第２の凹部１４又は第１の凹部１２の内部の空間に達しており、かつ、第１の凹部１２を超えてホルダー８の外部に達していないことが望ましい。
【００３６】
軸部６の先端が第２の凹部１４に達していなければ、六角穴付きボルト１をホルダー８に収容する際に頭部３の六角穴７に軸部６の先端を挿し入れにくい。また、軸部６の先端が第１の凹部１２を超えてホルダー８から外部に露出していると、六角穴付きボルト１のねじ部５に入れられたワッシャー１１を第１の凹部１２に収容できない。
【００３７】
以上に説明する通り、本実施形態に係るドライバー２によると、ねじ部５にワッシャー１１が通された六角穴付きボルト１を所定の対象１６に締める際に、該ねじ部５の中心軸に対するワッシャー１１のずれを抑制できる。
【００３８】
なお、本発明の一態様は上記実施形態の記載に限定されず、種々変更して実施可能である。例えば、上記の実施形態では、主に六角穴付きボルト１を所定の対象１６に締めるドライバー２について説明したが、本発明はこれに限定されない。すなわち、ドライバー２は六角穴付きボルト１以外の雄ねじを締める際に使用されてもよく、この場合、ホルダー８の第２の凹部１４は該雄ねじの頭部に対応する大きさ及び形状に形成される。
【００３９】
また、上記実施形態では、ホルダー８の先端部に第１の凹部１２と、第２の凹部１４と、の２つの凹部が形成されている場合について説明したが、本発明の一態様はこれに限定されない。例えば、ホルダー８の先端部には第２の凹部１４が形成されておらず、第１の凹部１２のみが形成されてもよい。
【００４０】
この場合、ホルダー８に雄ねじの頭部を収容する際、雄ねじの頭部のくぼみに軸部６の先端を挿し入れると同時に、該雄ねじのねじ部に通されたワッシャー１１を第１の凹部１２に収容する。この場合においても、ワッシャー１１の貫通孔の中心と、雄ねじのねじ部の中心軸と、を合わせられる。
【００４１】
その他、上記実施形態に係る構造、方法等は、本発明の目的の範囲を逸脱しない限りにおいて適宜変更して実施できる。
【符号の説明】
【００４２】
１  六角穴付きボルト
３  頭部
５  ねじ部
７  六角穴
９  ねじ山
１１  ワッシャー
２  ドライバー
４  把持部
６  軸部
８  ホルダー
８ａ  挿通孔
８ｂ  中心軸
１０  接続部材
１２，１４  凹部
１２ａ，１４ａ  開口
１６  所定の対象
１８  ねじ穴
【図１】
2020028945.tif 000003
【図２】
2020028945.tif 000004
【図３】
2020028945.tif 000005